(57)【要約】  本出願は、電子デバイス低温保護方法および電子デバイスを提供する。本方法は、電子デバイスにより、電子デバイスの環境温度および電池の温度を取得するステップと、電子デバイスにより、環境温度および電池の温度に基づいて、電子デバイスが低温環境にあることを判定するステップと、電子デバイスにより、低温環境にあると判定されたことに応答して低温保護を実施するステップとを含む。本出願で提供される電子デバイス低温保護方法によれば、環境温度および電池の温度の両方が考慮され、電子デバイスが低温状態にあるかどうかは、環境温度および電池の温度に基づいて検出される。これにより、電池の温度のみに基づいて実行される低温環境検出に存在する遅延が回避され得、電子デバイス低温環境検出の精度が改善され得、ユーザによる低温環境での電子デバイスの使用への電池性能の低下の影響が回避され得る。
2022500784.tif 000002
【特許請求の範囲】
【請求項１】
電子デバイス低温保護方法であって、
電子デバイスにより、前記電子デバイスの環境温度および電池の温度を取得するステップと、
前記電子デバイスにより、前記環境温度および前記電池の前記温度に基づいて、前記電子デバイスが低温環境にあることを判定するステップと、
前記電子デバイスにより、前記電子デバイスが前記低温環境にあるとの判定に応答して低温保護を実施するステップと
を含む方法。
【請求項２】
前記電子デバイスにより、前記電子デバイスが低温環境にあることを判定する前記ステップが、
前記環境温度が第1の事前設定された温度よりも低いとき、前記電子デバイスにより、前記電池の前記温度が第2の事前設定された温度よりも低いことに基づいて、前記電子デバイスが前記低温環境にあると判定するステップ
を含む、請求項1に記載の方法。
【請求項３】
前記電子デバイスにより、前記電子デバイスが低温環境にあることを判定する前記ステップが、
前記電池の前記温度が第1の事前設定された温度よりも低いとき、前記電子デバイスにより、前記環境温度が第2の事前設定された温度よりも低いことに基づいて、前記電子デバイスが前記低温環境にあると判定するステップ
を含む、請求項1に記載の方法。
【請求項４】
前記電子デバイスにより、前記電子デバイスが低温環境にあることを判定する前記ステップが、
前記環境温度が第1の事前設定された温度よりも低いとき、前記電子デバイスにより、前記電池の前記温度が第2の事前設定された温度よりも低いことおよび／または前記環境温度が第3の事前設定された温度よりも低いことに基づいて、前記電子デバイスが前記低温環境にあると判定するステップ
を含む、請求項1に記載の方法。
【請求項５】
前記電子デバイスにより、前記電子デバイスが低温環境にあることを判定する前記ステップが、
前記電池の前記温度が第1の事前設定された温度よりも低いとき、前記電子デバイスにより、前記環境温度が第2の事前設定された温度よりも低いことおよび／または前記電池の前記温度が第3の事前設定された温度よりも低いことに基づいて、前記電子デバイスが前記低温環境にあると判定するステップ
を含む、請求項1に記載の方法。
【請求項６】
電子デバイスにより、環境温度を取得する前記ステップが、
前記電子デバイスにより、前記電子デバイスのシステムパラメータおよび事前設定されたマッピング関係に基づいて、前記環境温度を判定するステップ
を含み、
前記事前設定されたマッピング関係は、前記システムパラメータに対応する環境温度を示す、請求項1から5のいずれか一項に記載の方法。
【請求項７】
前記電子デバイスの前記システムパラメータは、以下のうちの少なくとも1つ、すなわち、
前記電子デバイスのディスプレイの消費電力、前記電子デバイスの前記ディスプレイの輝度、前記電子デバイスの消費電力、および／または前記電池の温度センサによって収集される温度のうちの少なくとも1つ
を含む、請求項6に記載の方法。
【請求項８】
電子デバイスにより、前記電子デバイスの電池の温度を取得する前記ステップが、
前記電子デバイスにより、前記電子デバイスの温度センサによって収集される温度を取得するステップ
を含む、請求項1から7のいずれか一項に記載の方法。
【請求項９】
前記低温保護は、以下の方法のうちの少なくとも1つ、すなわち、
前記電子デバイスの少なくとも1つのコンポーネントの動作電圧を調整すること、
前記電子デバイスの少なくとも1つのコンポーネントの動作電流を調整すること、
前記電子デバイスの少なくとも1つの動作機能を無効にすること、および／または
前記電子デバイスで実行されている少なくとも1つのアプリケーションプログラムを無効にすること
のうちの少なくとも1つを含む、請求項1から8のいずれか一項に記載の方法。
【請求項１０】
電子デバイスであって、
電池、温度センサ、プロセッサ、メモリ、およびコンピュータプログラムを含み、
前記温度センサは、前記電池の温度を収集し、前記電池の前記温度を前記プロセッサに送信するように構成されており、
前記コンピュータプログラムは、前記メモリに記憶されており、
前記プロセッサは、前記コンピュータプログラムを実行して、請求項1から9のいずれか一項に記載の方法を実行する、電子デバイス。
【請求項１１】
コンピュータ記憶媒体であって、前記コンピュータ記憶媒体は、コンピュータプログラムを含み、前記コンピュータプログラムは、請求項1から9のいずれか一項に記載の方法を実施するために使用される、コンピュータ記憶媒体。
【請求項１２】
コンピュータプログラム製品であって、前記コンピュータプログラム製品は、コンピュータプログラムコードを含み、前記コンピュータプログラムコードがコンピュータ上で実行されるとき、前記コンピュータは、請求項1から9のいずれか一項に記載の方法を実行することが可能である、コンピュータプログラム製品。
【請求項１３】
チップであって、
メモリおよびプロセッサを備え、
前記メモリは、コンピュータプログラムを記憶するように構成されており、
前記プロセッサは、前記チップが組み込まれた電子デバイスが請求項1から9のいずれか一項に記載の方法を実行するように、前記メモリから前記コンピュータプログラムを呼び出して前記コンピュータプログラムを実行するよう構成されている、チップ。
【発明の詳細な説明】
【技術分野】
【０００１】
本出願は、電池分野、特に電子デバイス低温保護方法および電子デバイスに関する。
【背景技術】
【０００２】
高い公称電圧、大きな比エネルギー、高い充電／放電効率、および長い寿命などの利点によって、リチウム電池は、電気自動車、ノートブックコンピュータ、および携帯電話などの電子デバイスの電池エネルギー貯蔵分野に広く利用されている。同じ性能を有するリチウム電池は、使用のために直列に接続され、これは、使用電圧の改善および充電電流の低減などの利点を有する。したがって、直列に接続された複数のリチウム電池によって形成された電池ストリングが広く使用されている。
【０００３】
高温環境では、電池ストリングの容量が低下し、爆発が発生する可能性さえある。低温環境では、電池ストリングの性能も低下し、携帯電話またはタブレットコンピュータなどの電子デバイスの正常な動作が影響を受ける。したがって、電池ストリングの温度をリアルタイムで監視することは実用的である。現在、電池ストリングの温度をリアルタイムで監視するために、1つの温度センサが、通常、電池ストリングの電池ごとに配置され、電池の温度を検出するように構成されている。電池の検出温度が事前設定された温度範囲内にないとき、温度センサは、アラーム情報を送信する。
【０００４】
しかしながら、電池セルの温度は通常、温度センサによって監視される電池の温度よりも低い。温度センサが、電池の監視温度に基づいて、電池ストリングが低温環境で動作していると判定したとき、電池セルの温度は、電池ストリングにとって許容可能な最低温度よりもすでに大幅に低くなっている。温度センサによる検出には遅延がある。さらに、電池ストリングの電池に温度センサを配置することは、複雑な構造および比較的高いコストの原因になっている。
【発明の概要】
【課題を解決するための手段】
【０００５】
本出願は、現在の電子デバイス低温保護において各電池に温度センサを配置することによって生じる温度検出遅延、複雑な構造、および比較的高いコストの問題を解決するために、電子デバイス低温保護方法および電子デバイスを提供する。
【０００６】
本出願の第1の態様は、電子デバイスにより、電子デバイスの環境温度および電池の温度を取得するステップと、電子デバイスにより、環境温度および電池の温度に基づいて、電子デバイスが低温環境にあることを判定するステップと、電子デバイスにより、低温環境にあると判定されたことに応答して低温保護を実施するステップとを含む電子デバイス低温保護方法を提供する。
【０００７】
電池の温度のみに基づいて実行される電子デバイス低温検出の遅延を回避し、電子デバイス低温環境検出の精度を改善するために、電子デバイスが低温環境にあるかどうかは、環境温度および電池の温度の両方に基づいて検出される。
【０００８】
例えば、環境温度および電池の温度に基づいて、電子デバイスが低温環境にあるかどうかを判定するために、本出願は、以下のいくつかの実現可能な実施態様を提供する。
【０００９】
実現可能な実施態様では、環境温度が第1の事前設定された温度よりも低いとき、電子デバイスにより、電池の温度が第2の事前設定された温度よりも低いことに基づいて、電子デバイスは低温環境にあると判定する。
【００１０】
実現可能な実施態様では、電池の温度が第1の事前設定された温度よりも低いとき、電子デバイスにより、環境温度が第2の事前設定された温度よりも低いことに基づいて、電子デバイスは低温環境にあると判定する。
【００１１】
実現可能な実施態様では、環境温度が第1の事前設定された温度よりも低いとき、電子デバイスにより、電池の温度が第2の事前設定された温度よりも低いことおよび／または環境温度が第3の事前設定された温度よりも低いことに基づいて、電子デバイスは低温環境にあると判定する。
【００１２】
実現可能な実施態様では、電池の温度が第1の事前設定された温度よりも低いとき、電子デバイスにより、環境温度が第2の事前設定された温度よりも低いことおよび／または電池の温度が第3の事前設定された温度よりも低いことに基づいて、電子デバイスは低温環境にあると判定する。
【００１３】
前述の実施態様における第1の事前設定された温度の値は同じであっても異なっていてもよいことが理解され得る。同様に、前述の実施態様における第2の事前設定された温度の値は、同じであっても異なっていてもよい。前述の実施態様における第3の事前設定された温度の値は、同じであっても異なっていてもよい。
【００１４】
いくつかの電子デバイス低温環境検出方法では、電子デバイス低温環境検出の効率および精度を改善し、ユーザが低温環境で電子デバイスを使用することへの電池性能の低下の影響を回避するために、電子デバイス低温環境検出は、2つの層に分割される。電子デバイス低温環境検出の精度が改善されるのと同時に検出効率を改善し、電子デバイス低温保護効果を改善するために、電子デバイスが低温環境にあるかどうかは、さらなる低温環境検出プロセスで環境温度および電池の温度に基づいて検出される。
【００１５】
前述の可能な実施態様において環境温度を取得するプロセスは、電子デバイスのシステムパラメータを取得するステップと、システムパラメータに基づいて、事前設定されたマッピング関係を検索するステップと、事前設定されたマッピング関係において、システムパラメータに対応する環境温度を判定するステップとを含み得る。事前設定されたマッピング関係は、システムパラメータに対応する環境温度を示す。
【００１６】
電子デバイスのシステムパラメータは、以下のうちの少なくとも1つ、すなわち、電子デバイスのディスプレイの電力、電子デバイスのディスプレイの輝度、電子デバイスの消費電力、および／または電池の温度センサによって収集される温度のうちの少なくとも1つを含むことが理解され得る。
【００１７】
前述の可能な実施態様における電池の温度は、電子デバイスの温度センサによって収集される温度であり得る。
【００１８】
電子デバイスが低温環境にあると電子デバイスが判定したとき、ユーザが電子デバイスを使用することへの影響を回避するために、電子デバイスが比較的高い消費電力を有し、懐中電灯機能および写真フラッシュライト機能などの高電力機能コンポーネントを実行することが防止されなければならない。例えば、電子デバイス低温保護を実行するステップは、以下の方法のうちの少なくとも1つ、すなわち、電子デバイスの少なくとも1つのコンポーネントの動作電圧／電流を調整すること、または電子デバイスで実行されている少なくとも1つの機能／アプリケーションプログラムを無効にすることのうちの少なくとも1つを含む。
【００１９】
本出願の第2の態様は、第1の態様の任意の可能な実施態様の電子デバイス低温保護方法を実行するように構成された電子デバイス低温保護装置を提供する。低温保護装置は、同じまたは同様の技術的手段および技術的効果を有する。本出願では詳細は再度説明されない。
【００２０】
本出願で提供される電子デバイス低温保護装置は、第1の態様の任意の実施態様を実施するように構成された機能ユニットを含む。例えば、電子デバイス低温保護装置は、電子デバイスの環境温度および電池の温度を取得するように構成された温度取得モジュールと、環境温度および電池の温度に基づいて、電子デバイスが低温環境にあることを判定するように構成された低温環境検出モジュールと、低温環境にあると判定されたことに応答して低温保護を実行するように構成された低温保護モジュールとを含む。
【００２１】
任意選択で、低温環境検出モジュールは、2つのステップで低温環境検出を実行する。可能な実施態様では、低温環境検出モジュールは、最初に、環境温度が第1の事前設定された温度よりも低いと判定し、次に、電池の温度が第2の事前設定された温度よりも低いことに基づいて、電子デバイスが低温環境にあると判定する。
【００２２】
可能な実施態様では、低温環境検出モジュールは、最初に、電池の温度が第1の事前設定された温度よりも低いと判定し、次に、環境温度が第2の事前設定された温度よりも低いことに基づいて、電子デバイスが低温環境にあると判定する。
【００２３】
可能な実施態様では、低温環境検出モジュールは、最初に、環境温度が第1の事前設定された温度よりも低いと判定し、次に、電池の温度が第2の事前設定された温度よりも低いことおよび／または環境温度が第3の事前設定された温度よりも低いことに基づいて、電子デバイスが低温環境にあると判定する。
【００２４】
可能な実施態様では、低温環境検出モジュールは、最初に、電池の温度が第1の事前設定された温度よりも低いと判定し、次に、環境温度が第2の事前設定された温度よりも低いことおよび／または電池の温度が第3の事前設定された温度よりも低いことに基づいて、電子デバイスが低温環境にあると判定する。
【００２５】
前述の実施態様における第1の事前設定された温度の値は同じであっても異なっていてもよいことが理解され得る。同様に、前述の実施態様における第2の事前設定された温度の値は、同じであっても異なっていてもよい。前述の実施態様における第3の事前設定された温度の値は、同じであっても異なっていてもよい。
【００２６】
例えば、温度取得モジュールは、システムパラメータに対応する環境温度を判定するために、電子デバイスのシステムパラメータ、例えば、電子デバイスのディスプレイの電力、電子デバイスのディスプレイの輝度、電子デバイスの消費電力、および／または電池の温度センサによって収集される温度に基づいて、事前設定されたマッピング関係を検索するように特に構成される。
【００２７】
例えば、温度取得モジュールは、電子デバイスの温度センサによって収集される温度をさらに受信する。
【００２８】
電子デバイスが低温環境にあるとき、低温保護モジュールは、以下の方法のうちの少なくとも1つ、すなわち、電子デバイスの少なくとも1つのコンポーネントの動作電圧／電流を調整すること、または電子デバイスで実行されている少なくとも1つの機能／アプリケーションプログラムを無効にすることのうちの少なくとも1つで電子デバイス低温保護を実行し得る。
【００２９】
本出願の第3の態様は、第1の態様の任意の可能な実施態様の電子デバイス低温保護方法を実行するように構成された電子デバイス低温保護デバイスを提供する。低温保護デバイスは、同じまたは同様の技術的手段および技術的効果を有する。本出願では詳細は再度説明されない。
【００３０】
本出願の第4の態様は、第1の態様の任意の可能な実施態様の電子デバイス低温保護方法を実行するように構成された電子デバイスを提供する。電子デバイスは、同じまたは同様の技術的手段および技術的効果を有する。本出願では詳細は再度説明されない。
【００３１】
本出願で提供される電子デバイスは、温度センサ、メモリ、プロセッサ、および電池を含む。温度センサは、電池の温度を監視し、電池の温度をプロセッサに送信するように構成される。
【００３２】
プロセッサは、電子デバイスの環境温度および電池の温度を取得し、環境温度および電池の温度に基づいて、電子デバイスが低温環境にあることを判定し、低温環境にあると判定されたことに応答して低温保護を実施するように構成される。
【００３３】
可能な実施態様では、プロセッサは、環境温度が第1の事前設定された温度よりも低いとき、電池の温度が第2の事前設定された温度よりも低いことに基づいて、電子デバイスが低温環境にあると判定するように特に構成される。
【００３４】
可能な実施態様では、プロセッサは、電池の温度が第1の事前設定された温度よりも低いとき、環境温度が第2の事前設定された温度よりも低いことに基づいて、電子デバイスが低温環境にあると判定するように特に構成される。
【００３５】
可能な実施態様では、プロセッサは、環境温度が第1の事前設定された温度よりも低いとき、電池の温度が第2の事前設定された温度よりも低いことおよび／または環境温度が第3の事前設定された温度よりも低いことに基づいて、電子デバイスが低温環境にあると判定するように特に構成される。
【００３６】
可能な実施態様では、プロセッサは、電池の温度が第1の事前設定された温度よりも低いとき、環境温度が第2の事前設定された温度よりも低いことおよび／または電池の温度が第3の事前設定された温度よりも低いことに基づいて、電子デバイスが低温環境にあると判定するように特に構成される。
【００３７】
前述の実施態様における第1の事前設定された温度の値は同じであっても異なっていてもよいことが理解され得る。同様に、前述の実施態様における第2の事前設定された温度の値は、同じであっても異なっていてもよい。前述の実施態様における第3の事前設定された温度の値は、同じであっても異なっていてもよい。
【００３８】
任意選択で、プロセッサは、システムパラメータに対応する環境温度を判定するために、電子デバイスのディスプレイの電力、電子デバイスのディスプレイの輝度、電子デバイスの消費電力、および／または電池の温度センサによって収集される温度などの電子デバイスのシステムパラメータに基づいて、事前設定されたマッピング関係を検索するように特に構成される。
【００３９】
任意選択で、プロセッサは、温度センサによって収集される温度を取得し、その温度を電池の温度として使用するように特に構成される。
【００４０】
電池が低温状態にあるとき、プロセッサは、電子デバイスの少なくとも1つのコンポーネントの動作電圧／電流を調整すること、または電子デバイスの少なくとも1つの動作機能／アプリケーションプログラムを無効にすることによって電子デバイス低温保護を実行し得る。
【００４１】
本出願の第5の態様は、コンピュータ記憶媒体を提供する。記憶媒体は、コンピュータプログラムを含む。コンピュータプログラムは、第1の態様の可能な実施態様のいずれか1つによる電子デバイス低温保護方法を実施するために使用される。
【００４２】
本出願の第6の態様は、コンピュータプログラム製品を提供する。コンピュータプログラム製品は、コンピュータプログラムコードを含む。コンピュータプログラムコードがコンピュータ上で実行されるとき、コンピュータは、第1の態様の任意の可能な実施態様の電子デバイス低温保護方法を実行することが可能である。
【００４３】
本出願の第7の態様は、メモリおよびプロセッサを含むチップを提供する。メモリは、コンピュータプログラムを記憶するように構成される。プロセッサは、チップが組み込まれた電子デバイスが第1の態様の任意の可能な実施態様の電子デバイス低温保護方法を実行するように、メモリからコンピュータプログラムを呼び出してコンピュータプログラムを実行するよう構成される。
【００４４】
本出願では、前述の態様で提供される実施態様に基づいて、実施態様は、より多くの実施態様を提供するためにさらに組み合わされ得る。
【図面の簡単な説明】
【００４５】
【図１】本出願の実施形態1による電子デバイスの構造の概略図である。
【図２】本出願の実施形態1による電子デバイス低温保護方法の概略フローチャートである。
【図３】本出願の一実施形態による電子デバイス低温保護装置の構造の概略図である。
【図４】本出願の一実施形態による電子デバイスの構造の概略図である。
【図５】本出願の一実施形態による、電子デバイスが携帯電話である場合の電子デバイスの構造ブロック図である。
【発明を実施するための形態】
【００４６】
以下では、本出願の実施形態の添付の図面を参照して、本出願の実施形態の技術的解決策を説明する。
【００４７】
図1は、本出願の実施形態1による電子デバイスの構造の概略図である。図1に示されているように、電子デバイスは、電池、温度センサ、およびプロセッサを少なくとも含む。
【００４８】
例えば、電子デバイスは、ノートブックコンピュータ、携帯電話、もしくはスマートバンドなどの携帯デバイスであり得るし、または電気自動車、電動自動車、もしくはドローンなどのデバイスであり得る。これは本出願では限定されない。図1では、電子デバイスの構造は、電子デバイスが携帯電話である事態を例として使用して説明されている。
【００４９】
例えば、電池は、電子デバイスがユーザの操作に基づいて対応する機能を実施するか、または対応するプログラムを実行するように、電子デバイスに電力を供給するよう構成される。本出願の実施形態の電池は、直列に接続されたリチウム電池を含む電池ストリングであってもよいし、または独立したリチウム電池であってもよい。
【００５０】
温度センサは、通常、電池の保護ボード上に配置され、電池の温度を監視するように構成される。温度センサは、監視された電池の温度をプロセッサに送信し、これにより、プロセッサは、電池の温度に基づいて電子デバイス低温保護を実行し得る。任意選択で、温度センサは、負の温度係数（Negative Temperature Coefficient、NTC）温度センサであり得る。
【００５１】
例えば、本出願の実施形態で提供される電子デバイスは、温度センサによって提供される電池の温度および電子デバイスの環境温度の両方に基づいて、電子デバイスが低温環境にあるかどうかを検出する。電子デバイスは、電子デバイスが低温環境にあることを適時に検出し得る。これにより、温度センサによって検出される電池の温度のみに基づいて電子デバイス低温保護が実行される従来の電子デバイス低温保護の遅延が回避され、複数の温度センサを電子デバイスに配置することによって生じる複雑な構造および比較的高いコストの問題が解決される。したがって、本出願で提供される電子デバイス低温保護方法は、比較的良好な低温保護効果を有する。
【００５２】
以下では、電子デバイス低温保護を実施するプロセスを詳細に説明するために特定の実施形態を使用する。本出願の以下の実施形態は、電子デバイス低温保護方法および電子デバイスを少なくとも提供する。以下のいくつかの特定の実施形態では、同じまたは同様の概念またはプロセスが、一部の実施形態において詳細に説明されていない場合がある。
【００５３】
本出願の実施形態の一態様は、電子デバイス低温保護方法を提供する。図2は、本出願の実施形態1による電子デバイス低温保護方法の概略フローチャートである。本出願の本実施形態で提供される電子デバイス低温保護方法によれば、電子デバイスが低温環境にあるかどうかは、温度センサによって提供される電池の温度および電子デバイスの環境温度に基づいて判定され、電子デバイスが低温環境にあるとき、電子デバイスに対して低温保護が実行される。したがって、本出願で提供される電子デバイス低温保護はより適時的である。本実施形態で提供される電子デバイス低温保護方法は、図1の電子デバイスによって実行され得る。図2に示されているように、電子デバイス低温保護方法は、以下のステップを含む。
【００５４】
S201：電子デバイスは、電子デバイスの環境温度および電池の温度を取得する。
【００５５】
例えば、電子デバイスは、環境温度および電池の温度をリアルタイムでまたは事前設定された周期で取得する。
【００５６】
電池の温度は、温度測定デバイスによってリアルタイムでまたは事前設定された周期で測定される電池の温度である。任意選択で、電子デバイスが電池の温度を取得する方法は、電子デバイスの温度センサによって収集される温度を取得することであり得る。任意選択で、電池の温度は、あるいは、電池を直接測定または検出することによって別の温度測定装置により取得される温度であってもよい。これは本出願では限定されない。電子デバイスは、温度センサによって収集された温度を直接受信し得るし、または温度センサによって収集されたデータを受信し、次に、そのデータに対応する温度を取得し得ることが理解され得る。
【００５７】
例えば、電池の温度は、電池の保護ボード上に配置された温度センサによって取得され得、電池セルの温度よりも高い。電池の温度に基づいて電子デバイスに対して温度保護が実行されるとき、電子デバイスの電池が高温環境にあるかどうかは適時に検出され得るが、電子デバイスの電池が低温環境にあるかどうかは適時に検出され得ない。したがって、電子デバイス低温保護に遅延が生じる。言い換えれば、電子デバイスが、電池の温度に基づいて、電子デバイスが低温環境にあると判定したとき、電池セルは、すでに低温環境にある。
【００５８】
本実施形態では、電池の温度が取得されるとき、電子デバイスの環境温度も取得される。電子デバイスの環境温度は、電子デバイスが配置されている環境の温度であり得る。電池は、使用されているときに熱などを発生させるため、電子デバイスの環境温度は通常、電池セルの温度よりも低い。したがって、電子デバイスの環境温度に基づいて電子デバイスに対して温度保護が実行されるとき、電子デバイスが低温環境にあるかどうかが適時に検出され得る。
【００５９】
任意選択で、環境温度を取得する可能な方法は、
電子デバイスが、電子デバイスのシステムパラメータおよび事前設定されたマッピング関係に基づいて環境温度を判定し、その場合、
事前設定されたマッピング関係が、システムパラメータに対応する環境温度を示すことであり得る。
【００６０】
例えば、電子デバイスは、事前設定されたマッピング関係を記憶する。事前設定されたマッピング関係は、電子デバイスのシステムパラメータが様々な値のある組み合わせであるときの電子デバイスの環境温度を示す。事前設定されるマッピング関係は、電子デバイスが工場から配送される前に試験統計を通じて取得され得、電子デバイスが工場から配送されるときに電子デバイスに構成される。電子デバイスが通信可能なデバイスである場合、電子デバイスはさらに、ネットワークを介して事前設定されたマッピング関係を更新し得る。
【００６１】
電子デバイスが事前設定されたマッピング関係を記憶しているとき、電子デバイスの環境温度を判定するために、事前設定されたマッピング関係は、電子デバイスの取得されたシステムパラメータに基づいて検索され得る。
【００６２】
任意選択で、環境温度を取得する方法では、電子デバイスのシステムパラメータは、以下のうちの少なくとも1つ、すなわち、
電子デバイスのディスプレイの電力、電子デバイスのディスプレイの輝度、電子デバイスの消費電力、および／または電池の温度センサによって収集される温度のうちの少なくとも1つを含む。
【００６３】
例えば、電子デバイスのシステムパラメータは、電子デバイスのアプリケーションの実行状態、電子デバイスのプロセッサおよびメモリの使用量、ならびに電子デバイスが筐体および筐体材料を備えるかどうかなどの情報をさらに含む。
【００６４】
任意選択で、環境温度を取得する別の可能な方法は、
電子デバイスの地理的位置の温度情報を環境温度として取得することであり得る。
【００６５】
例えば、電子デバイスが携帯電話またはタブレットコンピュータなどのネットワーク接続可能なデバイスである場合、電子デバイスの地理的位置の現在の温度情報が、ネットワークを介して照会され得、環境温度として使用される。あるいは、電子デバイスの既存の気象アプリケーションによって提供される温度情報が、環境温度として使用されてもよい。
【００６６】
任意選択で、環境温度を取得するさらに別の可能な方法は、
電子デバイスが配置されている部屋のエアコンによって提供される室温を取得し、その室温を環境温度として使用することであり得る。
【００６７】
例えば、電子デバイスは、エアコン、スマート掃除機、冷蔵庫、および室内のモニタなどのスマート家電を管理する。
【００６８】
S202：電子デバイスは、環境温度および電池の温度に基づいて、電子デバイスが低温環境にあることを判定する。
【００６９】
例えば、本出願の本実施形態では、電池の温度に基づいて実行される低温検出の遅延が考慮される。電子デバイスの環境温度は通常、電池セルの温度よりも低い。電子デバイスが低温環境にあるかどうかは、電子デバイスの環境温度に基づいて高感度に検出され得る。したがって、本出願の本実施形態では、電池の温度のみに基づいて実行される低温検出の遅延を回避し、電子デバイス低温検出の精度を改善し、ユーザによる低温環境での電子デバイスの使用への電池性能の低下の影響を回避するために、電子デバイスが低温環境にあるかどうかは、環境温度および電池の温度に基づいて検出される。
【００７０】
例えば、電子デバイスが、環境温度および電池の温度に基づいて、電子デバイスが低温環境にあるかどうかを判定するとき、2つの温度が、同時にまたは順番に事前設定された温度と比較され得る。2つの温度と比較される事前設定された温度は同じであっても異なっていてもよい。あるいは、低温マッピングテーブルが、環境温度と電池の温度との様々な値の組み合わせに基づいて、様々な値の組み合わせにおける電子デバイスが低温環境にあるかどうかを判定するために検索されてもよい。低温マッピングテーブルは、様々な温度値の組み合わせにおける電子デバイスの温度状態を示す。電子デバイスの温度状態は、高温環境、常温環境、および低温環境を含み得る。
【００７１】
S203：電子デバイスは、低温環境にあると判定されたことに応答して低温保護を実施する。
【００７２】
例えば、電子デバイスが低温環境にあることを電子デバイスが検出すると、直ちに電子デバイス低温保護が実行され、低温保護対策が実行される。これにより、電池が低温で動作し、電子デバイスがユーザの命令に正常に応答し得ない状況が回避され、したがって、電子デバイスを使用するユーザ体験への影響が回避される。
【００７３】
任意選択で、電子デバイスに対して実行される低温保護対策は、
電子デバイスの少なくとも1つのコンポーネントの動作電圧を調整すること、
電子デバイスの少なくとも1つのコンポーネントの動作電流を調整すること、
電子デバイスの少なくとも1つの動作機能を無効にすること、および／または
電子デバイスで実行されている少なくとも1つのアプリケーションプログラムを無効にすること
を含み得る。
【００７４】
具体的には、電子デバイスに対して低温保護が実行されるとき、電子デバイスの少なくとも1つのコンポーネントの動作電圧が調整され得る。電子デバイスの温度が比較的低いとき、電子デバイスのコンポーネントの動作電圧が低減され得、電子デバイスの消費電力が低減され得る。これにより、低温環境で電子デバイスの電源が切れることが防止され、したがって、ユーザによる電子デバイスの使用への影響が回避される。例えば、動作電圧を調整する方法に関連して、電子デバイスの少なくとも1つのコンポーネントの動作電流がさらに調整されてもよい。任意選択で、電子デバイスの少なくとも1つの動作機能がさらに無効にされてもよい。例えば、電子デバイスが低温環境にあるとき、低温環境で電子デバイスの電源が切れることを防止するために、電子デバイスの動作機能の様々な発熱能力または消費電力に基づいて1つ以上の機能が、無効にされるために選択される。例えば、電子デバイスが携帯電話である場合、カメラの撮影機能およびビデオ機能、カメラ撮影時の写真フラッシュライト機能、または懐中電灯機能などが、無効にされるために選択され得る。任意選択で、電子デバイスで実行されている少なくとも1つのアプリケーションプログラムがさらに無効にされてもよい。例えば、実行中の多数のアプリケーションプログラムがある場合、消費電力を低減するために、バックグラウンドで実行されているが、ユーザによって現在使用されていないアプリケーションプログラムが、無効にされるために選択されてもよい。
【００７５】
任意選択で、低温保護が実行されるとき、前述の複数の温度調整方法は、組み合わせて使用されてもよい。
【００７６】
本出願で提供される電子デバイス低温保護方法は、電子デバイスが、電子デバイスの環境温度および電池の温度を取得し、電子デバイスが、環境温度および電池の温度に基づいて、電子デバイスが低温環境にあることを判定し、電子デバイスが、低温環境にあると判定されたことに応答して低温保護を実施することを含む。本出願の本実施形態では、電池の温度に基づいて低温検出が実行される従来の電子デバイス温度保護方法における遅延が考慮される。電子デバイスの環境温度は通常、電池セルの温度よりも低い。電子デバイスが低温環境にあるかどうかは、電子デバイスの環境温度に基づいて高感度に検出され得る。したがって、電池の温度のみに基づいて電子デバイス温度保護が実行される従来の電子デバイス温度保護方法と比較して、本出願の本実施形態は、環境温度および電池の温度の両方を考慮する。電池の温度のみに基づいて実行される低温環境検出の遅延を回避し、電子デバイス低温環境検出の精度を改善し、ユーザによる低温環境での電子デバイスの使用への電池性能の低下の影響を回避するために、電子デバイスが低温環境にあるかどうかは、環境温度および電池の温度に基づいて検出される。
【００７７】
例えば、図2に示されている実施形態に基づいて、本出願の本実施形態で提供される電子デバイス低温保護方法では、電子デバイスの低温環境を検出する効率を改善するために、環境温度または電池の温度が事前設定された温度よりも低いかどうかが、最初に検出され得る。事前設定された温度は、電池の最低動作温度よりも高い温度である。環境温度または電池の温度が事前設定された温度よりも低くないことが検出された場合、それ以上の温度検出が実行される必要はない。環境温度または電池の温度が事前設定された温度よりも実際に低いことが検出された場合、電子デバイスが低温環境にあるかどうかを判定するために、さらなる温度比較がさらに実行される必要がある。環境温度および電池の温度は、それぞれ、異なる事前設定された温度に対応してもよい。
【００７８】
例えば、環境温度と電池の温度が同じ事前設定された温度に対応するときに、電池の温度が、最初に、対応する事前設定された温度と比較されるとき、電子デバイス低温環境検出の信頼性は比較的高い。環境温度が、最初に、対応する事前設定された温度と比較されるとき、電子デバイス低温環境検出の感度は比較的高い。これは、同じ電子デバイスの電池の温度が通常は環境温度よりも高く、環境温度が、電池の温度よりも早く事前設定された温度に近くなり、電子デバイス低温環境検出の次のステップがより早くトリガされるからである。電子デバイス低温環境検出は、電子デバイス低温環境検出の効率を改善し、電子デバイス低温保護をより適時に実行するために2つのステップを含む。
【００７９】
以下では、環境温度および電池の温度に基づいて、電子デバイスが低温環境にあるかどうかを検出するためのいくつかの可能な低温環境検出方法を詳細に説明する。
【００８０】
第1の可能な低温環境検出方法は、
環境温度が第1の事前設定された温度よりも低いとき、電子デバイスが、電池の温度が第2の事前設定された温度よりも低いことに基づいて、電子デバイスが低温環境にあると判定することである。
【００８１】
例えば、電子デバイスが、環境温度および電池の温度に連続して基づいて、電子デバイスが低温環境にあることを判定するプロセスは、
環境温度が第1の事前設定された温度よりも低いかどうかを判定するステップと、
判定された環境温度が第1の事前設定された温度よりも低いことに応答して、電池の温度が第2の事前設定された温度よりも低いかどうかを判定するステップと、
電池の温度が第2の事前設定された温度よりも低いことに応答して、電子デバイスによって、電子デバイスが低温環境にあると判定するステップと
を特に含む。
【００８２】
例えば、環境温度が第1の事前設定された温度よりも低いことを検出したとき、電子デバイスは、電子デバイスが低温環境にある可能性があると判断する。この場合、電子デバイスが実際に低温環境にあるかどうかが、電池の温度が第2の事前設定された温度よりも低いかどうかに基づいてさらに判定される。電池の温度が第2の事前設定された温度よりも低いとき、電子デバイスは、電子デバイスが低温環境にあると判定するか、または電池の温度が第2の事前設定された温度よりも低くないとき、電子デバイスは、電子デバイスが低温環境にないと判定する。任意選択で、第1の事前設定された温度と第2の事前設定された温度の値は、同じであっても異なっていてもよい。例えば、本実施態様では、電池の温度が通常は環境温度よりも高いことを考慮して、第1の事前設定された温度は、第2の事前設定された温度よりも低くされる。
【００８３】
第2の可能な低温環境検出方法は、
電池の温度が第1の事前設定された温度よりも低いとき、電子デバイスが、環境温度が第2の事前設定された温度よりも低いことに基づいて、電子デバイスが低温環境にあると判定することである。
【００８４】
例えば、電子デバイスが、環境温度および電池の温度に連続して基づいて、電子デバイスが低温環境にあることを判定するプロセスは、
電池の温度が第1の事前設定された温度よりも低いかどうかを判定するステップと、
判定された電池の温度が第1の事前設定された温度よりも低いことに応答して、環境温度が第2の事前設定された温度よりも低いかどうかを判定するステップと、
環境温度が第2の事前設定された温度よりも低いことに応答して、電子デバイスによって、電子デバイスが低温環境にあると判定するステップと
を特に含む。
【００８５】
第1の可能な低温環境検出方法と同様に、電池の温度が第1の事前設定された温度よりも低いことを検出したとき、電子デバイスは、電子デバイスが低温環境にある可能性があると判断する。この場合、電子デバイスが実際に低温環境にあるかどうかが、環境温度が第2の事前設定された温度よりも低いかどうかに基づいてさらに判定される。環境温度が第2の事前設定された温度よりも低いとき、電子デバイスは、電子デバイスが低温環境にあると判定するか、または環境温度が第2の事前設定された温度よりも低くないとき、電子デバイスは、電子デバイスが低温環境にないと判定する。任意選択で、第1の事前設定された温度と第2の事前設定された温度の値は、同じであっても異なっていてもよい。例えば、本実施態様では、電池の温度が通常は環境温度よりも高いことを考慮して、第2の事前設定された温度は、第1の事前設定された温度よりも低くされる。
【００８６】
第3の可能な低温環境検出方法は、
環境温度が第1の事前設定された温度よりも低いとき、電子デバイスが、電池の温度が第2の事前設定された温度よりも低いことおよび／または環境温度が第3の事前設定された温度よりも低いことに基づいて、電子デバイスが低温環境にあると判定することである。
【００８７】
例えば、電子デバイスが本実施態様で、電子デバイスが低温環境にあることを判定するプロセスは、
環境温度が第1の事前設定された温度よりも低いかどうかを判定するステップと、
判定された環境温度が第1の事前設定された温度よりも低いことに応答して、電池の温度が第2の事前設定された温度よりも低いかどうかおよび／または環境温度が第3の事前設定された温度よりも低いかどうかを判定するステップと、
電池の温度が第2の事前設定された温度よりも低いことおよび／または環境温度が第3の事前設定された温度よりも低いことに応答して、電子デバイスによって、電子デバイスが低温環境にあると判定するステップと
を特に含む。
【００８８】
例えば、第1の可能な低温環境検出方法とは異なり、電子デバイスが、環境温度が第1の事前設定された温度よりも低いことを検出したとき、電子デバイスが実際に低温環境にあるかどうかは、2つの温度、すなわち電池の温度および環境温度に基づいてさらに判定される。例えば、電池の温度が第2の事前設定された温度よりも低いかどうか、または環境温度が第3の事前設定された温度よりも低いかどうかの少なくとも一方が、はいである場合、電子デバイスは、電子デバイスが低温環境にあると判定し得る。電池の温度が第2の事前設定された温度よりも低くなく、かつ環境温度が第3の事前設定された温度よりも低くないとき、電子デバイスは、電子デバイスが低温環境にないと判定することが理解され得る。例えば、第3の事前設定された温度は、第1の事前設定された温度よりも低い。例えば、本実施態様では、電池の温度が通常は環境温度よりも高いことを考慮して、第3の事前設定された温度は、第2の事前設定された温度よりも低くされる。
【００８９】
電子デバイスが低温環境にあるかどうかは、電子デバイス低温環境検出の信頼性を改善するために、環境温度および電池の温度の両方に基づいて再び検出される。
【００９０】
第4の可能な低温環境検出方法は、
電池の温度が第1の事前設定された温度よりも低いとき、電子デバイスが、環境温度が第2の事前設定された温度よりも低いことおよび／または電池の温度が第3の事前設定された温度よりも低いことに基づいて、電子デバイスが低温環境にあると判定することである。
【００９１】
例えば、電子デバイスが本実施態様で、電子デバイスが低温環境にあることを判定するプロセスは、
電池の温度が第1の事前設定された温度よりも低いかどうかを判定するステップと、
判定された電池の温度が第1の事前設定された温度よりも低いことに応答して、環境温度が第2の事前設定された温度よりも低いかどうかおよび／または電池の温度が第3の事前設定された温度よりも低いかどうかを判定するステップと、
環境温度が第2の事前設定された温度よりも低いことおよび／または電池の温度が第3の事前設定された温度よりも低いことに応答して、電子デバイスによって、電子デバイスが低温環境にあると判定するステップと
を特に含む。
【００９２】
例えば、第2の可能な低温環境検出方法とは異なり、電子デバイスが、電池の温度が第1の事前設定された温度よりも低いことを検出したとき、電子デバイスが実際に低温環境にあるかどうかは、2つの温度、すなわち電池の温度および環境温度に基づいてさらに判定される。例えば、環境温度が第2の事前設定された温度よりも低いかどうか、または電池の温度が第3の事前設定された温度よりも低いかどうかの少なくとも一方が、はいである場合、電子デバイスは、電子デバイスが低温環境にあると判定し得る。電池の温度が第3の事前設定された温度よりも低くなく、かつ環境温度が第2の事前設定された温度よりも低くないとき、電子デバイスは、電子デバイスが低温環境にないと判定することが理解され得る。例えば、第3の事前設定された温度は、第1の事前設定された温度よりも低い。例えば、本実施態様では、電池の温度が通常は環境温度よりも高いことを考慮して、第2の事前設定された温度は、第3の事前設定された温度よりも低くされる。
【００９３】
電子デバイスが低温環境にあるかどうかは、電子デバイス低温環境検出の信頼性を改善するために、環境温度および電池の温度の両方に基づいて再び検出される。
【００９４】
前述の低温環境検出方法における第1の事前設定された温度の値は同じであっても異なっていてもよいことが理解され得る。同様に、前述の低温環境検出方法における第2の事前設定された温度の値は、同じであっても異なっていてもよい。前述の低温環境検出方法における第3の事前設定された温度の値は、同じであっても異なっていてもよい。
【００９５】
前述の低温環境検出方法における第1の事前設定された温度の値が大きいほど、低温環境検出方法の感度が高いことを示し、第1の事前設定された温度の値が小さいほど、低温環境検出方法の信頼性が高いことを示すことが理解され得る。
【００９６】
本出願の一実施形態は、第1の態様の任意の可能な実施態様の電子デバイス低温保護方法を実行するように構成された電子デバイス低温保護装置をさらに提供する。低温保護装置は、同じまたは同様の技術的手段および技術的効果を有する。本出願では詳細は再度説明されない。
【００９７】
図3は、本出願の一実施形態による電子デバイス低温保護装置の構造の概略図である。本実施形態の電子デバイス低温保護装置は、図1に示されている電子デバイスであり得るし、または電子デバイスのチップであり得る。電子デバイス低温保護装置は、方法の実施形態における電子デバイスの動作を実行するように構成され得る。図3に示されているように、電子デバイス低温保護装置は、温度取得モジュール301、低温環境検出モジュール302、および低温保護モジュール303を含む。
【００９８】
温度取得モジュール301は、電子デバイスの環境温度および電池の温度を取得するように構成される。
【００９９】
低温環境検出モジュール302は、環境温度および電池の温度に基づいて、電子デバイスが低温環境にあることを判定するように構成される。
【０１００】
低温保護モジュール303は、低温環境にあると判定されたことに応答して低温保護を実施するように構成される。
【０１０１】
任意選択で、低温環境検出モジュール302は、環境温度が第1の事前設定された温度よりも低いとき、電池の温度が第2の事前設定された温度よりも低いことに基づいて、電子デバイスが低温環境にあると判定するように特に構成される。
【０１０２】
任意選択で、低温環境検出モジュール302は、電池の温度が第1の事前設定された温度よりも低いとき、環境温度が第2の事前設定された温度よりも低いことに基づいて、電子デバイスが低温環境にあると判定するように特に構成される。
【０１０３】
任意選択で、低温環境検出モジュール302は、環境温度が第1の事前設定された温度よりも低いとき、電池の温度が第2の事前設定された温度よりも低いことおよび／または環境温度が第3の事前設定された温度よりも低いことに基づいて、電子デバイスが低温環境にあると判定するように特に構成される。
【０１０４】
任意選択で、低温環境検出モジュール302は、電池の温度が第1の事前設定された温度よりも低いとき、環境温度が第2の事前設定された温度よりも低いことおよび／または電池の温度が第3の事前設定された温度よりも低いことに基づいて、電子デバイスが低温環境にあると判定するように特に構成される。
【０１０５】
任意選択で、温度取得モジュール301は、電子デバイスのシステムパラメータおよび事前設定されたマッピング関係に基づいて環境温度を判定するようにさらに構成される。事前設定されたマッピング関係は、システムパラメータに対応する環境温度を示す。
【０１０６】
任意選択で、電子デバイスのシステムパラメータは、以下のうちの少なくとも1つ、すなわち、電子デバイスのディスプレイの電力、電子デバイスのディスプレイの輝度、電子デバイスの消費電力、および／または電池の温度センサによって収集される温度のうちの少なくとも1つを含む。
【０１０７】
任意選択で、温度取得モジュール301は、電子デバイスの温度センサによって収集される温度を取得するようにさらに構成される。
【０１０８】
任意選択で、低温保護モジュール303は、以下の方法のうちの少なくとも1つ、すなわち、
電子デバイスの少なくとも1つのコンポーネントの動作電圧を調整すること、
電子デバイスの少なくとも1つのコンポーネントの動作電流を調整すること、
電子デバイスの少なくとも1つの動作機能を無効にすること、および／または
電子デバイスで実行されている少なくとも1つのアプリケーションプログラムを無効にすること
のうちの少なくとも1つで電子デバイス低温保護を実行するように特に構成される。
【０１０９】
例えば、電子デバイスが携帯電話である場合、電子デバイス低温保護装置は、携帯電話内部の中央処理装置CPUであり得る。CPUは、携帯電話のシステムパラメータ、例えば携帯電話の現在の動作状態に基づいて、電子デバイスの環境温度を取得し、携帯電話内部の温度センサに基づいて電池の温度を取得するように構成される。CPUが、環境温度および電池の温度に基づいて、携帯電話が低温環境にあると判定すると、CPUは、写真フラッシュライト、カメラ、および懐中電灯などの動作コンポーネントを無効にするか、または比較的高い消費電力を有するこのようなコンポーネント／機能を有効にするためにユーザによって入力される命令を拒否する。
【０１１０】
本出願の一実施形態は、前述の実施形態のいずれか1つの電子デバイス低温保護方法を実行するように構成された電子デバイス低温保護デバイスをさらに提供する。低温保護デバイスは、同じまたは同様の技術的手段および技術的効果を有する。本出願では詳細は再度説明されない。
【０１１１】
本出願の一実施形態は、前述の実施形態のいずれか1つの電子デバイス低温保護方法を実行するように構成された電子デバイスをさらに提供する。電子デバイスは、同じまたは同様の技術的手段および技術的効果を有する。本出願では詳細は再度説明されない。
【０１１２】
図4は、本出願の一実施形態による電子デバイスの構造の概略図である。図4に示されているように、電子デバイスは、温度センサ401、メモリ402、プロセッサ403、および電池404を含む。温度センサ401は、電池404の温度を監視し、電池404の電池温度をプロセッサ403に送信するように構成される。メモリ402は、高速ランダムメモリを含み得るし、または不揮発性メモリ、例えば、少なくとも1つの磁気ディスク記憶装置を含み得る。メモリ402は、様々な処理機能を遂行し、本実施形態の方法ステップを実施するために、様々なプログラムを記憶し得る。プロセッサ403は、メモリ402に記憶されたプログラムを実行するように構成される。
【０１１３】
プロセッサ403は、電子デバイスの環境温度および電池の温度を取得するように構成される。
【０１１４】
プロセッサ403は、環境温度および電池の温度に基づいて、電子デバイスが低温環境にあることを判定するようにさらに構成される。
【０１１５】
プロセッサ403は、低温環境にあると判定されたことに応答して低温保護を実施するようにさらに構成される。
【０１１６】
任意選択で、プロセッサ403は、環境温度が第1の事前設定された温度よりも低いとき、電池の温度が第2の事前設定された温度よりも低いことに基づいて、電子デバイスが低温環境にあると判定するように特に構成される。
【０１１７】
任意選択で、プロセッサ403は、電池の温度が第1の事前設定された温度よりも低いとき、環境温度が第2の事前設定された温度よりも低いことに基づいて、電子デバイスが低温環境にあると判定するように特に構成される。
【０１１８】
任意選択で、プロセッサ403は、環境温度が第1の事前設定された温度よりも低いとき、電池の温度が第2の事前設定された温度よりも低いことおよび／または環境温度が第3の事前設定された温度よりも低いことに基づいて、電子デバイスが低温環境にあると判定するように特に構成される。
【０１１９】
任意選択で、プロセッサ403は、電池の温度が第1の事前設定された温度よりも低いとき、環境温度が第2の事前設定された温度よりも低いことおよび／または電池の温度が第3の事前設定された温度よりも低いことに基づいて、電子デバイスが低温環境にあると判定するように特に構成される。
【０１２０】
任意選択で、プロセッサ403は、電子デバイスのシステムパラメータおよび事前設定されたマッピング関係に基づいて電子デバイスの環境温度を判定するようにさらに構成される。事前設定されたマッピング関係は、システムパラメータに対応する環境温度を示す。
【０１２１】
任意選択で、電子デバイスのシステムパラメータは、以下のうちの少なくとも1つ、すなわち、電子デバイスのディスプレイの電力、電子デバイスのディスプレイの輝度、電子デバイスの消費電力、および／または電池の温度センサによって収集される温度のうちの少なくとも1つを含む。
【０１２２】
任意選択で、プロセッサ503は、温度センサ501によって収集される温度を取得し、その温度を電池の温度として使用するようにさらに構成される。
【０１２３】
任意選択で、プロセッサ503は、以下の方法のうちの少なくとも1つ、すなわち、
電子デバイスの少なくとも1つのコンポーネントの動作電圧を調整すること、
電子デバイスの少なくとも1つのコンポーネントの動作電流を調整すること、
電子デバイスの少なくとも1つの動作機能を無効にすること、および／または
電子デバイスで実行されている少なくとも1つのアプリケーションプログラムを無効にすること
のうちの少なくとも1つで電子デバイス低温保護を実行するようにさらに構成される。
【０１２４】
前述の実施形態で説明されたように、本出願の本実施形態の電子デバイスは、携帯電話またはタブレットコンピュータなどのワイヤレス端末であり得る。したがって、電子デバイスが携帯電話である事態が例として使用される。図5は、本出願の一実施形態による、電子デバイスが携帯電話である場合の電子デバイスの構造ブロック図である。図5を参照すると、携帯電話は、無線周波数（無線周波数、RF）回路510、メモリ520、入力ユニット530、表示ユニット540、温度センサ550、可聴周波数回路560、ワイヤレスフィデリティ（wireless fidelity、Wi-Fi）モジュール570、プロセッサ580、および電池590などのコンポーネントを含み得る。当業者は、図5に示されている携帯電話の構造が、携帯電話に対する制限を構成するものではなく、携帯電話は、図に示されているものよりも多いもしくは少ないコンポーネントを含み得るし、いくつかのコンポーネントを組み合わせ得るし、または異なるコンポーネントの配置を有し得ることを理解し得る。
【０１２５】
以下では、図5を参照して、携帯電話の各コンポーネントについて詳細に説明する。
【０１２６】
RF回路510は、情報受信／送信プロセスまたは通話プロセスで信号を受信／送信するように構成され得る。特に、基地局からダウンリンク情報を受信した後、RF回路510は、処理のためにダウンリンク情報をプロセッサ580に送信する。さらに、RF回路510は、アップリンクデータを基地局に送信する。RF回路510は、通常、アンテナ、少なくとも1つの増幅器、トランシーバ、カプラ、低雑音増幅器（Low Noise Amplifier、LNA）、およびデュプレクサなどを含むが、これらに限定されない。さらに、RF回路510は、ワイヤレス通信を使用してネットワークおよび別のデバイスとさらに通信し得る。ワイヤレス通信は、グローバル・システム・フォー・モバイル・コミュニケーションズ（Global System of Mobile communications、GSM（登録商標））、汎用パケット無線サービス（General Packet Radio Service、GPRS）、符号分割多元接続（Code Division Multiple Access、CDMA）、広帯域符号分割多元接続（Wideband Code Division Multiple Access、WCDMA（登録商標））、ロングタームエボリューション（Long Term Evolution、LTE）、電子メールメッセージ、およびショートメッセージサービス（Short Messaging Service、SMS）などを含むが、これらに限定されない通信規格またはプロトコルを使用し得る。
【０１２７】
メモリ520は、ソフトウェアプログラムおよびモジュールを記憶するように構成され得る。プロセッサ580は、携帯電話の様々な機能アプリケーションおよびデータ処理を実行するために、メモリ520に記憶されたソフトウェアプログラムおよびモジュールを実行する。メモリ520は、プログラム記憶領域およびデータ記憶領域を主に含み得る。プログラム記憶領域は、オペレーティングシステム、および少なくとも1つの機能（音響再生機能または画像再生機能など）に必要なアプリケーションプログラムなどを記憶し得る。データ記憶領域は、携帯電話の使用などに基づいて生成されるデータ（音声データまたは電話帳など）を記憶し得る。さらに、メモリ520は、高速ランダムアクセスメモリを含み得、また、不揮発性メモリ、例えば少なくとも1つの磁気ディスク記憶デバイス、フラッシュメモリデバイス、または別の揮発性ソリッドステート記憶デバイスをさらに含み得る。
【０１２８】
入力ユニット530は、入力された数字または文字情報を受信し、携帯電話のユーザ設定および機能制御に関連するキー信号入力を生成するように構成され得る。具体的には、入力ユニット530は、タッチ制御パネル531および別の入力デバイス532を含み得る。タッチ画面とも呼ばれるタッチ制御パネル531は、ユーザによってタッチ制御パネル531上でまたはその近くで行われるタッチ操作（例えば、指またはタブレットペンなどの任意の適切な物体または付属品を使用してユーザによってタッチ制御パネル531でまたはタッチ制御パネル531の近くで行われる操作）を収集し、事前設定されたプログラムに基づいて対応する接続装置を駆動し得る。任意選択で、タッチ制御パネル531は、2つの部分、すなわちタッチ検出装置およびタッチコントローラを含み得る。タッチ検出装置は、ユーザのタッチ位置を検出し、タッチ操作によってもたらされる信号を検出し、この信号をタッチコントローラに送信する。タッチコントローラは、タッチ検出装置からタッチ情報を受信し、タッチ情報をタッチポイントの座標に変換する。次に、タッチコントローラは、タッチポイントの座標をプロセッサ580に送信し、プロセッサ580によって送信されるコマンドを受信して実行し得る。さらに、タッチ制御パネル531は、抵抗タイプ、容量タイプ、赤外線タイプ、および弾性表面波タイプなどの複数のタイプで実施され得る。タッチ制御パネル531に加えて、入力ユニット530は、別の入力デバイス532をさらに含み得る。具体的には、別の入力デバイス532は、物理キーボード、機能キー（例えば、音量調節押しキーもしくは電源オン／オフ押しキー）、トラックボール、マウス、およびジョイスティックなどのうちの1つ以上を含み得るが、これらに限定されない。
【０１２９】
表示ユニット540は、ユーザによって入力される情報またはユーザに提供される情報および携帯電話の様々なメニューを表示するように構成され得る。表示ユニット540は、表示パネル541を含み得る。任意選択で、表示パネル541は、液晶ディスプレイ（Liquid Crystal Display、LCD）および有機発光ダイオード（Organic Light-Emitting Diode、OLED）などの形態で構成され得る。さらに、タッチ制御パネル531は、表示パネル541を覆い得る。タッチ制御パネル531上またはその近くでのタッチ操作を検出すると、タッチ制御パネル531は、タッチイベントのタイプを判定するためにタッチ操作をプロセッサ580に送信する。次に、プロセッサ580は、タッチイベントのタイプに基づいて表示パネル541上に対応する視覚的出力を提供する。図5では、タッチ制御パネル531および表示パネル541は、携帯電話の入力および入力機能を実施するための2つの独立した部分として使用されている。しかしながら、一部の実施形態では、タッチ制御パネル531および表示パネル541は、携帯電話の入力および出力機能を実施するために統合されてもよい。
【０１３０】
携帯電話は、温度センサ550をさらに含み得る。温度センサ550は、電池590の保護ボード上に配置され得、電池590の温度を検出するように構成される。携帯電話は、少なくとも1つの他のセンサ、例えば、光学センサ、モーションセンサ、および別のセンサをさらに含み得る。具体的には、光学センサは、周辺光センサおよび近接センサを含み得る。周辺光センサは、周辺光の明るさに基づいて表示パネル541の明るさを調整し得る。光学センサは、携帯電話が耳に移動されたときに、表示パネル541および／またはバックライトを無効にし得る。モーションセンサの一種として、加速度センサは、様々な方向（通常は3軸）において加速度値を検出し得る。加速度センサは、加速度センサが静止しているとき、重力の値および方向を検出し得、携帯電話の姿勢を認識する用途（例えば、横画面と縦画面との切り替え、関連するゲーム、および磁力計の姿勢較正）ならびに振動認識に関連する機能（歩数計およびノックなど）などに使用され得る。ジャイロスコープ、気圧計、湿度計、温度計、および赤外線センサなどの他のセンサが、携帯電話にさらに構成されてもよい。ここでは詳細は説明されない。
【０１３１】
音声回路560、スピーカ561、およびマイクロフォン562は、ユーザと携帯電話との間の音声インターフェースを提供し得る。音声回路560は、受信された音声データを電気信号に変換し、次に電気信号をスピーカ561に送信し得、スピーカ561は、出力のために電気信号を音響信号に変換する。さらに、マイクロフォン562は、収集された音響信号を電気信号に変換する。音声回路560は、電気信号を受信し、電気信号を音声データに変換し、次に、処理のために音声データをプロセッサ580に出力して、RF回路510を介して音声データを例えば別の携帯電話に送信するか、またはさらなる処理のために音声データをメモリ520に出力する。
【０１３２】
Wi-Fiは、短距離ワイヤレス送信技術である。Wi-Fiモジュール570を用いて、携帯電話は、ユーザが電子メールメッセージを送信および受信し、ウェブページを閲覧し、ストリーミングメディアにアクセスすることなどを助け得る。Wi-Fiモジュール570は、ブロードバンドインターネットへのワイヤレスアクセスをユーザに提供する。図5は、Wi-Fiモジュール570を示しているが、Wi-Fiモジュール570は、携帯電話の必須のコンポーネントではなく、本出願の本質を変えることなく、要求に基づいて省略され得ることが理解され得る。
【０１３３】
プロセッサ580は、携帯電話の制御センタである。プロセッサ580は、様々なインターフェースおよびラインを介して携帯電話全体の各部分を接続する。さらに、プロセッサ580は、携帯電話の全体的な監視を実行する目的で携帯電話の様々な機能およびデータ処理を実行するために、メモリ520に記憶されているソフトウェアプログラムおよび／またはモジュールを実行しまたは動作させ、メモリ520に記憶されているデータを呼び出す。任意選択で、プロセッサ580は、1つ以上の処理ユニットを含み得る。アプリケーションプロセッサおよびモデムプロセッサが、プロセッサ580に統合され得る。アプリケーションプロセッサは、オペレーティングシステム、ユーザインターフェース、およびアプリケーションプログラムなどを主に処理する。モデムプロセッサは、ワイヤレス通信を主に処理する。あるいは、モデムプロセッサはプロセッサ580に統合されなくてもよいことが理解され得る。
【０１３４】
携帯電話は、各部分に電力を供給する電池590をさらに含む。電池590は、電池ストリングであり得る。電池590は、電力管理システムを使用して充電管理、放電管理、および消費電力管理などの機能を実施するために、電力管理システムを使用してプロセッサ580に論理的に接続され得る。
【０１３５】
携帯電話は、カメラ600をさらに含み得る。カメラは、前面カメラであってもよいし、または背面カメラであってもよい。図示されていないが、携帯電話は、BluetoothモジュールおよびGPSモジュールなどをさらに含み得る。ここでは詳細は説明されない。
【０１３６】
本出願の本実施形態では、同じ適用概念に基づいて、本出願の本実施形態で提供される電子デバイスの問題解決原理は、本出願の方法の実施形態の電子デバイス低温保護方法と同様である。携帯電話に含まれるプロセッサ580は、本出願の電子デバイス低温保護方法の実施解決策を実行するように構成され得る。詳細については、前述の実施形態のいずれか1つの対応する説明を参照されたい。プロセッサ580の実施原理および技術的効果については、前述の方法の実施態様の電子デバイス低温保護方法の実施原理および技術的効果を参照されたい。ここでは詳細は再度説明されない。
【０１３７】
本出願の前述の実施形態の連続番号は、例示目的のものにすぎず、実施形態の優先順位を示すことを意図されていない。
【０１３８】
本出願は、コンピュータ記憶媒体をさらに提供する。記憶媒体は、コンピュータプログラムを含む。コンピュータプログラムは、前述の実施形態のいずれか1つの電子デバイス低温保護方法を実施するために使用される。
【０１３９】
本出願は、コンピュータプログラム製品をさらに提供する。コンピュータプログラム製品は、コンピュータプログラムコードを含む。コンピュータプログラムコードがコンピュータ上で実行されるとき、コンピュータは、前述の実施形態のいずれか1つの電子デバイス低温保護方法を実行することが可能である。
【０１４０】
本出願は、メモリおよびプロセッサを含むチップをさらに提供する。メモリは、コンピュータプログラムを記憶するように構成される。プロセッサは、チップが組み込まれた電子デバイスが前述の実施形態のいずれか1つの電子デバイス低温保護方法を実行するように、メモリからコンピュータプログラムを呼び出してコンピュータプログラムを実行するよう構成される。
【０１４１】
本出願において、「少なくとも1つ」は1つ以上を意味し、「複数」は2つ以上を意味する。用語「および／または」は、関連付けられた対象間の、関連付けの関係を記述し、3つの関係を示し得る。例えば、Aおよび／またはBは、以下の場合を、すなわち、Aのみが存在する場合、AおよびBの両方が存在する場合、およびBのみが存在する場合を示し得、その場合、AおよびBは、単数または複数であり得る。記号「／」は通常、関連付けられた対象間の「または」関係を示す。「以下のうちの少なくとも1つの物品（部品）」またはその同様の表現は、単一の物品（部品）または複数の物品（部品）の任意の組み合わせを含む、これらの物品の任意の組み合わせを意味する。例えば、a、b、またはcのうちの少なくとも1つ（1つの部品）は、a、b、c、a−b、a−c、b−c、またはa−b−cを示し得、その場合、a、b、およびcは、単数または複数であり得る。
【０１４２】
本出願の実施形態では、プロセッサは、汎用プロセッサ、デジタル信号プロセッサ、特定用途向け集積回路、フィールドプログラマブルゲートアレイもしくは別のプログラマブル論理デバイス、ディスクリートゲートもしくはトランジスタ論理デバイス、またはディスクリートハードウェアコンポーネントであり得、本出願の実施形態で開示された方法、ステップ、および論理ブロック図を実施または実行し得る。汎用プロセッサは、マイクロプロセッサまたは任意の従来のプロセッサなどであり得る。本出願の実施形態を参照して開示された方法のステップは、ハードウェアプロセッサによって直接実行され得るし、またはプロセッサ内のハードウェアとソフトウェアモジュールとの組み合わせを使用して実行され得る。
【０１４３】
本出願の本実施形態のメモリは、ハードディスクドライブ（hard disk drive、HDD）もしくはソリッドステートドライブ（solid-state drive、SSD）などの不揮発性メモリであり得るし、または不揮発性メモリ（non-transitory memory）、例えばランダムアクセスメモリ（random-access memory、RAM）メモリであり得る。メモリは、命令またはデータ構造の形態のしかるべきプログラムコードを保持または記憶するために使用され得る、コンピュータによってアクセスされ得る任意の他の媒体であるが、これに限定されない。
【０１４４】
本出願で提供されるいくつかの実施形態では、開示された装置および方法が他の方法で実施され得ることを理解されたい。例えば、説明されている装置の実施形態は一例にすぎない。例えば、ユニットへの分割は、論理的な機能の分割にすぎず、実際の実施態様では他の分割であってもよい。例えば、複数のユニットまたはコンポーネントは、別のシステムに組み合わされてもよい、もしくは統合されてもよいし、またはいくつかの機能は無視されてもよい、もしくは実行されなくてもよい。さらに、提示されたまたは述べられた相互結合または直接的な結合もしくは通信接続は、いくつかのインターフェースを使用して実施されてもよい。装置またはユニット間の間接的な結合または通信接続は、電子的、機械的、または他の形態で実施されてもよい。
【０１４５】
別々の部分として説明されているユニットは、物理的に分離されていてもいなくてもよく、また、ユニットとして提示されている部分は、物理的なユニットであってもなくてもよいし、1つの位置に配置されてもよいし、または複数のネットワークユニットに分散されてもよい。ユニットの一部または全部は、実施形態の解決策の目的を達成するために実際の要求に基づいて選択されてもよい。
【０１４６】
さらに、本出願の実施形態の機能ユニットは、1つの処理ユニットに統合されてもよいし、またはこれらのユニットのそれぞれは、物理的に単独で存在してもよいし、または2つ以上のユニットが、1つのユニットに統合される。統合ユニットは、ハードウェアの形態で実施されてもよいし、またはソフトウェア機能ユニットに加えてハードウェアの形態で実施されてもよい。
【０１４７】
前述のプロセスの連続番号は、本出願の様々な実施形態における実行順序を意味しない。プロセスの実行順序は、プロセスの機能および内部論理に基づいて決定されるべきであり、本出願の実施形態の実施プロセスに対する制限として解釈されるべきではない。
【０１４８】
前述の実施形態の全部または一部は、ソフトウェア、ハードウェア、ファームウェア、またはこれらの任意の組み合わせを使用して実施され得る。ソフトウェアが実施形態を実施するために使用される場合、実施形態の全部または一部は、コンピュータプログラム製品の形態で実施され得る。コンピュータプログラム製品は、1つ以上のコンピュータ命令を含む。コンピュータプログラム命令がコンピュータ上でロードされて実行されるとき、本出願の実施形態による手順または機能がすべてまたは部分的に生成される。コンピュータは、汎用コンピュータ、専用コンピュータ、コンピュータネットワーク、または他のプログラマブル装置であり得る。コンピュータ命令は、コンピュータ可読記憶媒体に記憶され得るし、またはあるコンピュータ可読記憶媒体から別のコンピュータ可読記憶媒体に送信され得る。例えば、コンピュータ命令は、有線（例えば、同軸ケーブル、光ファイバ、もしくはデジタル加入者回線（DSL））の方法またはワイヤレス（例えば、赤外線、無線、もしくはマイクロ波）の方法で、あるウェブサイト、コンピュータ、サーバ、またはデータセンタから別のウェブサイト、コンピュータ、サーバ、またはデータセンタに送信され得る。コンピュータ可読記憶媒体は、コンピュータによってアクセス可能な任意の使用可能媒体、または1つ以上の使用可能媒体を統合した、サーバもしくはデータセンタなどのデータ記憶デバイスであり得る。使用可能媒体は、磁気媒体（例えば、フロッピー（登録商標）ディスク、ハードディスク、もしくは磁気テープ）、光学媒体（例えば、DVD）、または半導体媒体（例えば、ソリッドステートドライブ（Solid State Disk、SSD））などであり得る。
【符号の説明】
【０１４９】
301  温度取得モジュール
302  低温環境検出モジュール
303  低温保護モジュール
401  温度センサ
402  メモリ
403  プロセッサ
404  電池
501  温度センサ
503  プロセッサ
510  RF回路
520  メモリ
530  入力ユニット
531  タッチ制御パネル
532  別の入力デバイス
540  表示ユニット
541  表示パネル
550  温度センサ
560  可聴周波数回路、音声回路
561  スピーカ
562  マイクロフォン
570  Wi-Fiモジュール
580  プロセッサ
590  電池
600  カメラ
【図１】
2022500784.tif 000003
【図２】
2022500784.tif 000004
【図３】
2022500784.tif 000005
【図４】
2022500784.tif 000006
【図５】
2022500784.tif 000007
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
電子デバイス低温保護方法であって、
電子デバイスにより、前記電子デバイスの環境温度および電池の温度を取得するステップと、
前記電子デバイスにより、前記環境温度および前記電池の前記温度に基づいて、前記電子デバイスが低温環境にあることを判定するステップと、
前記電子デバイスにより、前記電子デバイスが前記低温環境にあるとの判定に応答して低温保護を実施するステップと
を含む方法。
【請求項２】
前記電子デバイスにより、前記電子デバイスが低温環境にあることを判定する前記ステップが、
前記環境温度が第1の事前設定された温度よりも低いとき、前記電子デバイスにより、前記電池の前記温度が第2の事前設定された温度よりも低いことに基づいて、前記電子デバイスが前記低温環境にあると判定するステップ
を含む、請求項1に記載の方法。
【請求項３】
前記電子デバイスにより、前記電子デバイスが低温環境にあることを判定する前記ステップが、
前記電池の前記温度が第1の事前設定された温度よりも低いとき、前記電子デバイスにより、前記環境温度が第2の事前設定された温度よりも低いことに基づいて、前記電子デバイスが前記低温環境にあると判定するステップ
を含む、請求項1に記載の方法。
【請求項４】
前記電子デバイスにより、前記電子デバイスが低温環境にあることを判定する前記ステップが、
前記環境温度が第1の事前設定された温度よりも低いとき、前記電子デバイスにより、前記電池の前記温度が第2の事前設定された温度よりも低いことおよび／または前記環境温度が第3の事前設定された温度よりも低いことに基づいて、前記電子デバイスが前記低温環境にあると判定するステップ
を含む、請求項1に記載の方法。
【請求項５】
前記電子デバイスにより、前記電子デバイスが低温環境にあることを判定する前記ステップが、
前記電池の前記温度が第1の事前設定された温度よりも低いとき、前記電子デバイスにより、前記環境温度が第2の事前設定された温度よりも低いことおよび／または前記電池の前記温度が第3の事前設定された温度よりも低いことに基づいて、前記電子デバイスが前記低温環境にあると判定するステップ
を含む、請求項1に記載の方法。
【請求項６】
電子デバイスにより、環境温度を取得する前記ステップが、
前記電子デバイスにより、前記電子デバイスのシステムパラメータおよび事前設定されたマッピング関係に基づいて、前記環境温度を判定するステップ
を含み、
前記事前設定されたマッピング関係は、前記システムパラメータに対応する環境温度を示す、請求項1から5のいずれか一項に記載の方法。
【請求項７】
前記電子デバイスの前記システムパラメータは、以下のうちの少なくとも1つ、すなわち、
前記電子デバイスのディスプレイの消費電力、前記電子デバイスの前記ディスプレイの輝度、前記電子デバイスの消費電力、および／または前記電池の温度センサによって収集される温度のうちの少なくとも1つ
を含む、請求項6に記載の方法。
【請求項８】
電子デバイスにより、前記電子デバイスの電池の温度を取得する前記ステップが、
前記電子デバイスにより、前記電子デバイスの温度センサによって収集される温度を取得するステップ
を含む、請求項1から7のいずれか一項に記載の方法。
【請求項９】
前記低温保護は、以下の方法のうちの少なくとも1つ、すなわち、
前記電子デバイスの少なくとも1つのコンポーネントの動作電圧を調整すること、
前記電子デバイスの少なくとも1つのコンポーネントの動作電流を調整すること、
前記電子デバイスの少なくとも1つの動作機能を無効にすること、および／または
前記電子デバイスで実行されている少なくとも1つのアプリケーションプログラムを無効にすること
のうちの少なくとも1つを含む、請求項1から8のいずれか一項に記載の方法。
【請求項１０】
電子デバイスであって、
電池、温度センサ、プロセッサ、メモリ、およびコンピュータプログラムを含み、
前記温度センサは、前記電池の温度を収集し、前記電池の前記温度を前記プロセッサに送信するように構成されており、
前記コンピュータプログラムは、前記メモリに記憶されており、
前記プロセッサは、前記コンピュータプログラムを実行して、請求項1から9のいずれか一項に記載の方法を実行する、電子デバイス。
【請求項１１】
コンピュータ記憶媒体であって、前記コンピュータ記憶媒体は、コンピュータプログラムを含み、前記コンピュータプログラムは、請求項1から9のいずれか一項に記載の方法を実施するために使用される、コンピュータ記憶媒体。
【請求項１２】
チップであって、
メモリおよびプロセッサを備え、
前記メモリは、コンピュータプログラムを記憶するように構成されており、
前記プロセッサは、前記チップが組み込まれた電子デバイスが請求項1から9のいずれか一項に記載の方法を実行するように、前記メモリから前記コンピュータプログラムを呼び出して前記コンピュータプログラムを実行するよう構成されている、チップ。
【国際調査報告】
2022500784.tif 000008
2022500784.tif 000009
2022500784.tif 000010
2022500784.tif 000011